(57)【特許請求の範囲】
【請求項１】
入力信号を遅延して遅延信号として出力する遅延手段と、前記遅延信号を入力し反転して反転遅延信号として出力する反転手段と、前記入力信号をリセット入力として入力するとともに前記遅延信号をセット入力として入力することにより前記入力信号から前記入力信号の立ち上がりエッジに起因するチャタリングノイズを除去した状態で前記入力信号を反転して第１のノイズ除去信号として出力する第１のセットリセット手段と、前記第１のノイズ除去信号をリセット入力として入力するとともに前記反転遅延信号をセット入力として入力することにより前記第１のノイズ除去信号から前記第１のノイズ除去信号の立ち上がりエッジに起因するチャタリングノイズを除去した状態で前記第１のノイズ除去信号を反転して第２のノイズ除去信号として出力する第２のセットリセット手段とを備えたノイズフィルタ。
【請求項２】
遅延手段が遅延量の異なる複数の遅延ユニットからなり、前記複数の遅延ユニットのうちの何れか一つを選択する選択手段を設けたことを特徴とする請求項１記載のノイズフィルタ。
【請求項３】
入力信号を遅延して遅延信号として出力する遅延手段と、前記遅延信号を入力し反転して反転遅延信号として出力する反転手段と、前記入力信号をリセット入力として入力するとともに前記遅延信号をセット入力として入力することにより前記入力信号から前記入力信号の立ち上がりエッジに起因するチャタリングノイズを除去した状態で前記入力信号を反転して第１のノイズ除去信号として出力する第１のセットリセット手段と、前記第１のノイズ除去信号をリセット入力として入力するとともに前記反転遅延信号をセット入力として入力することにより前記第１のノイズ除去信号から前記第１のノイズ除去信号の立ち上がりエッジに起因するチャタリングノイズを除去した状態で前記第１のノイズ除去信号を反転して第２のノイズ除去信号として出力する第２のセットリセット手段とを備えたノイズフィルタを搭載し、システムの動作クロック信号を前記ノイズフィルタへの入力信号とすることで、前記システムの動作クロック信号のチャタリングノイズを除去するようにしたことを特徴とする半導体集積回路。
【請求項４】
入力信号を遅延して遅延信号として出力する遅延手段と、前記遅延信号を入力し反転して反転遅延信号として出力する反転手段と、前記入力信号をリセット入力として入力するとともに前記遅延信号をセット入力として入力することにより前記入力信号から前記入力信号の立ち上がりエッジに起因するチャタリングノイズを除去した状態で前記入力信号を反転して第１のノイズ除去信号として出力する第１のセットリセット手段と、前記第１のノイズ除去信号をリセット入力として入力するとともに前記反転遅延信号をセット入力として入力することにより前記第１のノイズ除去信号から前記第１のノイズ除去信号の立ち上がりエッジに起因するチャタリングノイズを除去した状態で前記第１のノイズ除去信号を反転して第２のノイズ除去信号として出力する第２のセットリセット手段とを備えたノイズフィルタを搭載し、システムの割り込み要求信号を前記ノイズフィルタへの入力信号とすることで、前記システムの割り込み要求信号のチャタリングノイズを除去するようにしたことを特徴とする半導体集積回路。
【請求項５】
遅延手段が遅延量の異なる複数の遅延ユニットからなり、前記複数の遅延ユニットのうちの何れか一つを選択する選択手段を設けたことを特徴とする請求項３または４記載の半導体集積回路。
【発明の詳細な説明】
【０００１】
【発明の属する技術分野】
本発明は、マイクロコンピュータやデジタルシグナルプロセッサやロジックＬＳＩ（半導体集積回路装置）等の各種回路に使用される発振回路等によって生成されたクロック信号、あるいはデータ通信等によって外部より入力されるクロック信号の波形の変化時に、トランジスタのスイッチングノイズ等により発生するチャタリングノイズを除去するノイズフィルタおよびそれを搭載した半導体集積回路に関するものである。
【０００２】
【従来の技術】
近年のＬＳＩ搭載システム（家電製品、オーディオ製品等）の機能・性能の向上は目覚しく、それに伴いＬＳＩの大規模化、高密度化、高速化により半導体集積回路（ＬＳＩ）への入力信号にトランジスタのスイッチングノイズ等によるチャタリングノイズが発生しやすく、クロック信号あるいは割り込み信号等の入力信号に含まれるノイズを除去するノイズフィルタが必要不可欠となっている。
【０００３】
従来のノイズフィルタとしては、ローパスフィルタを使用したものや入力信号を同期信号に同期化する構成のものが採用されている。
図４は入力信号を同期信号に同期化した従来のノイズフィルタ４０の回路図を示し、図５はノイズフィルタ４０の動作説明のためのタイムチャートを示す。このタイムチャートには、チャタリングノイズが含まれた入力信号Ｄｉと同期信号ＳＹＮＣとＤフリップフロップ４１から出力される同期化信号Ａ、Ｄフリップフロップ４２から出力される同期化信号Ｂおよび論理積回路４３から出力されるチャタリングノイズが除去された出力信号Ｄｏが示されている。
【０００４】
このノイズフィルタ４０は、同期信号ＳＹＮＣに同期するＤフリップフロップ４１，４２および論理積回路４３とで構成されている。このノイズフィルタ４０は、クロック信号などの入力信号ＤｉをＤフリップフロップ４１を用いて同期信号ＳＹＮＣにより同期化することで同期化信号Ａを生成し、この同期化信号ＡをＤフリップフロップ４２を用いて同期信号ＳＹＮＣにより同期化することで同期化信号Ｂを生成し、同期化信号Ａおよび同期化信号Ｂを論理積回路４３にて論理積をとることにより、同期信号ＳＹＮＣの周波数以下のノイズ信号を除去した出力信号Ｄｏを出力するようにしている。
【０００５】
【発明が解決しようとする課題】
しかしながら、上記従来のノイズフィルタでは、波形の変化時にチャタリングノイズが発生しているクロック信号が入力信号Ｄｉとして入力された場合、ノイズが除去された出力信号Ｄｏが出力されるが、この出力信号Ｄｏは、入力信号Ｄｉとは位相、周波数およびデューティが異なり、入力信号Ｄｉを内部へ正確に伝達することができない。そのため、発振回路等で生成したクロック信号のノイズを除去するためのノイズフィルタとして用いる場合には、マイクロコンピュータ等が誤動作を引き起こす要因となるものであった。
【０００６】
したがって、本発明の目的は、入力信号の位相、周波数およびデューティを全く変えることなく、入力信号からノイズを除去することができるノイズフィルタを提供することである。
また、本発明の他の目的は、入力信号の位相、周波数およびデューティを全く変えることなく正確に、入力信号からノイズを除去して入力信号を使用する内部回路へ伝搬させることができる半導体集積回路を提供することである。
【０００７】
【課題を解決するための手段】
請求項１記載のノイズフィルタは、入力信号を遅延して遅延信号として出力する遅延手段と、遅延信号を入力し反転して反転遅延信号として出力する反転手段と、入力信号をリセット入力として入力するとともに遅延信号をセット入力として入力することにより入力信号から入力信号の立ち上がりエッジに起因するチャタリングノイズを除去した状態で入力信号を反転して第１のノイズ除去信号として出力する第１のセットリセット手段と、第１のノイズ除去信号をリセット入力として入力するとともに反転遅延信号をセット入力として入力することにより第１のノイズ除去信号から第１のノイズ除去信号の立ち上がりエッジに起因するチャタリングノイズを除去した状態で第１のノイズ除去信号を反転して第２のノイズ除去信号として出力する第２のセットリセット手段とを備えている。
【０００８】
この構成によれば、入力信号をリセット入力として第１のセットリセット手段に入力するとともに、遅延信号をセット入力として第１のセットリセット手段に入力することにより、入力信号から入力信号の立ち上がりエッジに起因するチャタリングノイズを除去した状態で入力信号を反転して第１のノイズ除去信号として出力し、さらに、第１のノイズ除去信号をリセット入力として第２のセットリセット手段へ入力するとともに、反転遅延信号をセット入力として第２のセットリセット手段へ入力することにより第１のノイズ除去信号から第１のノイズ除去信号の立ち上がりエッジに起因するチャタリングノイズを除去した状態で第１のノイズ除去信号を反転して第２のノイズ除去信号として出力することができる。その結果、同期信号に同期化する従来例とは異なり、入力信号の波形の変わり初めで出力信号の波形が変化し、入力信号の位相、周波数およびデューティを全く変えることなく、入力信号からノイズが除去される。
【０００９】
請求項２記載のノイズフィルタは、請求項１記載のノイズフィルタにおいて、遅延手段が遅延量の異なる複数の遅延ユニットからなり、前記複数の遅延ユニットのうちの何れか一つを選択する選択手段を設けたことを特徴とする。
この構成によれば、ノイズフィルタへの入力信号のチャタリングノイズを除去する時間を状況に応じて設定、変更することができる。
【００１０】
請求項３記載の半導体集積回路は、入力信号を遅延して遅延信号として出力する遅延手段と、遅延信号を入力し反転して反転遅延信号として出力する反転手段と、入力信号をリセット入力として入力するとともに遅延信号をセット入力として入力することにより入力信号から入力信号の立ち上がりエッジに起因するチャタリングノイズを除去した状態で入力信号を反転して第１のノイズ除去信号として出力する第１のセットリセット手段と、第１のノイズ除去信号をリセット入力として入力するとともに反転遅延信号をセット入力として入力することにより第１のノイズ除去信号から第１のノイズ除去信号の立ち上がりエッジに起因するチャタリングノイズを除去した状態で第１のノイズ除去信号を反転して第２のノイズ除去信号として出力する第２のセットリセット手段とを備えたノイズフィルタを搭載し、システムの動作クロック信号をノイズフィルタへの入力信号とすることで、システムの動作クロック信号のチャタリングノイズを除去するようにしたことを特徴とする。
【００１１】
この構成によれば、入力信号であるシステムの動作クロック信号をリセット入力として第１のセットリセット手段に入力するとともに、遅延信号をセット入力として第１のセットリセット手段に入力することにより、システムの動作クロック信号からその立ち上がりエッジに起因するチャタリングノイズを除去した状態でシステムの動作クロック信号を反転して第１のノイズ除去信号として出力し、さらに、第１のノイズ除去信号をリセット入力として第２のセットリセット手段へ入力するとともに、反転遅延信号をセット入力として第２のセットリセット手段へ入力することにより第１のノイズ除去信号から第１のノイズ除去信号の立ち上がりエッジに起因するチャタリングノイズを除去した状態で第１のノイズ除去信号を反転して第２のノイズ除去信号として出力することができる。その結果、同期信号に同期化する従来例とは異なり、入力信号であるシステムの動作クロッ信号の波形の変わり初めで出力信号の波形が変化し、入力信号の位相、周波数およびデューティを全く変えることなく、システムの動作クロック信号からノイズが除去されることになる。したがって、システムの動作クロック信号に含まれるチャタリングノイズを除去しつつ、システムの動作クロック信号の位相、周波数およびデューティを正確に半導体集積回路の内部回路へ伝搬させることができる。
【００１２】
請求項４記載の半導体集積回路は、入力信号を遅延して遅延信号として出力する遅延手段と、遅延信号を入力し反転して反転遅延信号として出力する反転手段と、入力信号をリセット入力として入力するとともに遅延信号をセット入力として入力することにより入力信号から入力信号の立ち上がりエッジに起因するチャタリングノイズを除去した状態で入力信号を反転して第１のノイズ除去信号として出力する第１のセットリセット手段と、第１のノイズ除去信号をリセット入力として入力するとともに反転遅延信号をセット入力として入力することにより第１のノイズ除去信号から第１のノイズ除去信号の立ち上がりエッジに起因するチャタリングノイズを除去した状態で第１のノイズ除去信号を反転して第２のノイズ除去信号として出力する第２のセットリセット手段とを備えたノイズフィルタを搭載し、システムの割り込み要求信号をノイズフィルタへの入力信号とすることで、システムの割り込み要求信号のチャタリングノイズを除去するようにしたことを特徴とする。
【００１３】
この構成によれば、入力信号であるシステムの割り込み要求信号をリセット入力として第１のセットリセット手段に入力するとともに、遅延信号をセット入力として第１のセットリセット手段に入力することにより、システムの割り込み要求信号からその立ち上がりエッジに起因するチャタリングノイズを除去した状態でシステムの割り込み要求信号を反転して第１のノイズ除去信号として出力し、さらに、第１のノイズ除去信号をリセット入力として第２のセットリセット手段へ入力するとともに、反転遅延信号をセット入力として第２のセットリセット手段へ入力することにより第１のノイズ除去信号から第１のノイズ除去信号の立ち上がりエッジに起因するチャタリングノイズを除去した状態で第１のノイズ除去信号を反転して第２のノイズ除去信号として出力することができる。その結果、同期信号に同期化する従来例とは異なり、入力信号であるシステムの動作クロッ信号の波形の変わり初めで出力信号の波形が変化し、入力信号の位相、周波数およびデューティを全く変えることなく、システムの割り込み要求信号からノイズが除去されることになる。したがって、システムの割り込み要求信号に含まれるチャタリングノイズを除去しつつ、システムの割り込み要求信号の位相、周波数およびデューティを正確に半導体集積回路の内部回路へ伝搬させることができる。
【００１４】
請求項５記載の半導体集積回路は、請求項３または４記載の半導体集積回路において、遅延手段が遅延量の異なる複数の遅延ユニットからなり、前記複数の遅延ユニットのうちの何れか一つを選択する選択手段を設けたことを特徴とする。この構成によれば、ノイズフィルタへの入力信号のチャタリングノイズを除去する時間を状況に応じて設定、変更することができる。
【００１５】
なお、上記におけるシステムというのは、半導体集積回路が使用されている製品（家電製品、オーディオ製品等）を総称した表現である。
【００１６】
【発明の実施の形態】
以下、本発明を具体化したノイズフィルタの第１の実施の形態を図１および図２に従って説明する。図１は本発明によるノイズフィルタの第１の実施の形態を示す回路図であり、図２はノイズフィルタの動作を示すタイムチャートである。図１に示すように、入力信号Ｄｉが加えられて出力信号Ｄｏを生成するノイズフィルタ１０は、遅延回路１１とＲＳフリップフロップ（ＲＳラッチ）１２と反転回路１３とＲＳフリップフロップ（ＲＳラッチ）１４とからなる。
【００１７】
遅延回路１１は、入力信号Ｄｉを遅延して遅延信号ＳＧ１として出力する遅延手段として機能する。ＲＳフリップフロップ１２は、入力信号Ｄｉをリセット入力（Ｒ）として入力するとともに遅延信号ＳＧ１をセット入力（Ｓ）として入力することにより入力信号Ｄｉから入力信号Ｄｉの立ち上がりエッジに起因するチャタリングノイズを除去した状態で入力信号Ｄｉを反転して第１のノイズ除去信号ＳＧ２として出力する第１のセットリセット手段として機能する。
【００１８】
インバータ１３は、遅延信号ＳＧ１を入力し反転して反転遅延信号ＳＧ３として出力する反転手段として機能する。ＲＳフリップフロップ１４は、第１のノイズ除去信号ＳＧ２をリセット入力（Ｒ）として入力するとともに反転遅延信号ＳＧ３をセット入力（Ｓ）として入力することにより第１のノイズ除去信号ＳＧ２から第１のノイズ除去信号ＳＧ２の立ち上がりエッジに起因するチャタリングノイズを除去した状態で第１のノイズ除去信号ＳＧ２を反転して第２のノイズ除去信号ＳＧ４として出力する第２のセットリセット手段として機能する。
【００１９】
このノイズフィルタでは、遅延回路１１とＲＳフリップフロップ１２のリセット端子（Ｒ端子）には、例えば半導体集積回路内に構築されるマイクロコンピュータあるいはデジタルシグナルプロセッサ等で用いられるシステムの動作クロック信号あるいはシステムの割り込み要求信号が入力信号Ｄｉとして入力されている。遅延回路１１からは、入力信号Ｄｉを所定時間遅延した遅延信号ＳＧ１が出力される。
【００２０】
ＲＳフリップフロップ１２のセット端子（Ｓ端子）とインバータ１３の入力端子には、入力信号Ｄｉを遅延回路１１を通して遅延した遅延信号ＳＧ１が入力されている。その結果、ＲＳフリップフロップ１２からは第１のノイズ除去信号ＳＧ２が出力され、インバータ１３からは遅延信号ＳＧ１を反転した反転遅延信号ＳＧ３が出力される。
【００２１】
ＲＳフリップフロップ１４のリセット端子（Ｒ端子）には、ＲＳフリップフロップ１２から出力される第１のノイズ除去信号ＳＧ２が入力され、セット端子（Ｓ端子）には、遅延信号ＳＧ１がインバータ１３により反転された反転遅延信号ＳＧ３が入力される。その結果、ＲＳフリップフロップ１４からは、第２のノイズ除去信号ＳＧ４が出力され、この第２のノイズ除去信号ＳＧ４がノイズフィルタ１０の出力信号Ｄｏとなる。
【００２２】
つぎに、上記第１の実施の形態のノイズフィルタ１０の動作を図１および図２を参照しながら説明する。図２には、入力信号Ｄｉと遅延信号ＳＧ１と第１のノイズ除去信号ＳＧ２と反転遅延信号ＳＧ３とノイズフィルタ１０の出力信号Ｄｏつまり第２のノイズ除去信号ＳＧ４が示されている。まず、図２に示すようなノイズの乗った入力信号（システムの動作クロック信号あるいは割り込み要求信号等）Ｄｉが入力波形としてノイズフィルタ１０に入力されたときについて考える。
【００２３】
図２において、入力信号ＤｉがＬ（ロー）レベル→Ｈ（ハイ）レベルに変化した時にチャタリングノイズＮ１が発生した場合について考える。ＲＳフリップフロップ１２のＲ端子に入力された入力信号Ｄｉの最初のＨレベル入力でＲＳフリップフロップ１２がリセットされ、ＲＳフリップフロップ１２が第１のノイズ除去信号ＳＧ２としてＬレベルの出力を発生する。
【００２４】
また、入力信号Ｄｉが遅延回路１１に入力されると遅延が起こり、入力信号Ｄｉを所定時間遅延した遅延信号ＳＧ１が遅延回路１１から出力される。ＲＳフリップフロップ１２のＳ端子には遅延回路１１より出力された遅延信号ＳＧ１が入力されており、ＲＳフリップフロップ１２のＲ端子にノイズ信号が入力されている間、ＲＳフリップフロップ１２のＳ端子にはＬレベルが入力されるため、ＲＳフリップフロップ１２から出力される第１のノイズ除去信号ＳＧ２はＬレベル出力である。
【００２５】
つぎに、入力信号ＤｉがＨレベル→Ｌレベルに信号が変化した時にチャタリングノイズＮ２が発生した場合について考える。ＲＳフリップフロップ１２のＳ端子には遅延回路１１より出力された遅延信号ＳＧ１が入力されており、ＲＳフリップフロップ１２のＲ端子にチャタリングノイズＮ２が入力されている間ＲＳフリップフロップ１２のＳ端子にはＨレベルが入力されているため、ＲＳフリップフロップ１２から出力される第１のノイズ除去信号ＳＧ２としては、入力信号ＤｉのチャタリングノイズＮ２が反転されて出力される。これにより、入力信号ＤｉのＬレベル→Ｈレベルに信号が変化するときのチャタリングノイズＮ１は除去され、ＲＳフリップフロップ１２から出力される第１のノイズ除去信号ＳＧ２としてはＬレベル→Ｈレベルに信号が変化する時のチャタリングノイズのみが残ることになる。
【００２６】
つぎに、ＲＳフリップフロップ１４のＳ端子には、遅延信号ＳＧ１をインバータ１３により反転した反転遅延信号ＳＧ３が入力されており、ＲＳフリップフロップ１２と同様に、ＲＳフリップフロップ１２から出力される第１のノイズ除去信号ＳＧ２がＬレベル→Ｈレベルに信号が変化するときのチャタリングノイズが除去される。この結果、ノイズフィルタ１０の入力信号Ｄｉに発生するチャタリングノイズはすべて除去され、図２に示すような出力信号Ｄｏが得られる。また、入力信号Ｄｉの波形の変わり初めで出力信号の波形が変化するため、入力信号Ｄｉの位相、周波数およびデューティが正確に出力信号Ｄｏへ伝達される。
【００２７】
この実施の形態のノイズフィルタによれば、入力信号ＤｉをＲ入力としてＲＳフリップフロップ１２に入力するとともに、遅延信号ＳＧ１をＳ入力としてＲＳフリップフロップ１２に入力することにより、入力信号Ｄｉから入力信号Ｄｉの立ち上がりエッジに起因するチャタリングノイズを除去した状態で入力信号Ｄｉを反転して第１のノイズ除去信号ＳＧ２として出力し、さらに、第１のノイズ除去信号ＳＧ２をＲ入力としてＲＳフリップフロップ１４へ入力するとともに、反転遅延信号ＳＧ３をＳ入力としてＲＳフリップフロップ１４へ入力することにより第１のノイズ除去信号ＳＧ２から第１のノイズ除去信号ＳＧ２の立ち上がりエッジに起因するチャタリングノイズを除去した状態で第１のノイズ除去信号ＳＧ２を反転して第２のノイズ除去信号ＳＧ４として出力することができる。その結果、同期信号に同期化する従来例とは異なり、入力信号Ｄｉの波形の変わり初めで出力信号の波形が変化するため、入力信号Ｄｉの位相、周波数およびデューティを全く変えることなく、入力信号Ｄｉからチャタリングノイズを除去することができる。
【００２８】
また、このノイズフィルタ１０を組み込んだ半導体集積回路において、システムの動作クロック信号あるいは割り込み要求信号のチャタリングノイズをノイズフリップフロップ１０で除去するように構成すれば、システムの動作クロック信号あるいは割り込み要求信号の位相、周波数およびデューティを正確に内部回路（マイクロコンピュータ、デジタルシグナルプロセッサ、ロジック回路等）へ伝搬させることができ、それらの回路の誤動作を防止することができる。
【００２９】
本発明の第２の実施の形態のノイズフィルタについて、図３を参照しながら説明する。図３に示すように、このノイズフィルタ３０は、遅延回路３１が遅延量の異なる複数の遅延ユニット３１Ａ，３１Ｂ，３１Ｃからなり、複数の遅延ユニット３１Ａ，３１Ｂ，３１Ｃのうちの何れか一つを選択する選択回路３２を設けている。その他の構成は、図１の実施の形態と同様である。
【００３０】
この実施の形態によれば、マイクロコンピュータ等によって生成した制御信号ＣＲで選択回路３２を制御して遅延回路３１の複数の遅延ユニット３１Ａ，３１Ｂ，３１Ｃのうちの何れか一つを選択することにより、ノイズフィルタ３０に入力されるクロック信号のチャタリングノイズを除去する時間を状況に応じて設定、変更することができる。その結果、入力信号に周波数に左右されずにノイズ除去を実現でき、あらゆるシステムへ適用が可能となる。
【００３１】
【発明の効果】
請求項１記載のノイズフィルタによれば、入力信号の波形の変わり初めで出力信号の波形を変化させることができ、入力信号の位相、周波数およびデューティを全く変えることなく入力信号に発生するチャタリングノイズを除去することができる。その結果、入力信号を使用する回路の誤動作を防止できる。
【００３２】
また、請求項２記載のノイズフィルタによれば、入力信号のチャタリングノイズを除去する時間を状況に応じて設定、変更することができるので、入力信号に周波数に左右されずにノイズ除去を実現でき、あらゆるシステムへ適用が可能となる。
また、請求項３記載の半導体集積回路によれば、入力されるシステムの動作クロック信号に発生するチャタリングノイズを動作クロック信号の位相、周波数およびデューティを全く変えることなく除去し内部へ伝搬させることができる。その結果、動作クロック信号を使用する回路の誤動作を防止できる。
【００３３】
また、請求項４記載の半導体集積回路によれば、入力されるシステムの割り込み要求信号に発生するチャタリングノイズを動作クロック信号の位相、周波数およびデューティを全く変えることなく除去し内部へ伝搬させることができる。その結果、割り込み要求信号を使用する回路の誤動作を防止できる。
また、請求項５記載の半導体集積回路によれば、入力信号のチャタリングノイズを除去する時間を状況に応じて設定、変更することができるので、入力信号に周波数に左右されずにノイズ除去を実現でき、あらゆるシステムへ適用が可能となる。
【図面の簡単な説明】
【図１】本発明の第１の実施の形態のノイズフィルタの構成を示す回路図である。
【図２】本発明の第１の実施の形態のノイズフィルタの動作を示すタイミングチャートである。
【図３】本発明の第２の実施の形態のノイズフィルタの構成を示す回路図である。
【図４】従来のノイズフィルタの構成を示す回路図である。
【図５】従来のノイズフィルタの動作を示すタイミングチャートである。
【符号の説明】
１１    遅延回路（遅延手段）
１２    ＲＳフリップフロップ（第１のセットリセット手段）
１３    インバータ（反転手段）
１４    ＲＳフリップフロップ（第２のセットリセット手段）
３１    遅延回路（遅延手段）
３２    選択回路（選択手段）
【図１】
0003566088.tif 000002
【図２】
0003566088.tif 000003
【図３】
0003566088.tif 000004
【図４】
0003566088.tif 000005
【図５】
0003566088.tif 000006